(57)【要約】【課題】電子機器の筐体の色や模様等のデザインを、簡単にユーザが使用している服装、部屋の内装あるいインテリア等に最適にマッチングしたデザインに変更する。【解決手段】制御部２１は、電子ペーパー部３を駆動する電子ペーパー駆動部２５を制御する電子ペーパー制御機能、電子ペーパー部３の所定の領域のタッチセンサからのセンサ出力を入力するタッチセンサ入力機能、電子ペーパー制御機能を実行する際に必要なパラメータを設定するパラメータ設定機能、パラメータ設定機能により設定されたパラメータに基づき電子ペーパー制御機能が電子ペーパー部３に表示させる表示画像データを生成する電子ペーパー表示画像データ生成機能等の各種機能を有している。【選択図】図３
2006173484.tif 000002
【特許請求の範囲】
【請求項１】
少なくとも筐体の一部が電子ペーパーである電子機器において、
画像データを入力する画像データ入力手段と、
前記電子ペーパーを駆動制御する電子ペーパー駆動制御手段と、
前記電子ペーパー駆動制御手段による駆動制御の制御条件を設定する条件設定手段と、
前記条件設定手段により設定された制御条件に基づき前記電子ペーパー駆動制御手段が前記電子ペーパー表示させる表示画像データを前記画像データから生成する電子ペーパー表示画像データ生成手段と
を備えたことを特徴とする電子機器。
【請求項２】
前記電子ペーパー表示画像データ生成手段は、前記画像データを平均化して単色の前記表示画像データを生成する
ことを特徴とする請求項１に記載の電子機器。
【請求項３】
前記電子ペーパー表示画像データ生成手段は、前記画像データを所定サイズの画像の繰り返しパターン画像に変換して前記表示画像データを生成する
ことを特徴とする請求項１に記載の電子機器。
【請求項４】
前記電子ペーパー表示画像データ生成手段は、前記繰り返しパターン画像の歪みを補正する歪み補正手段を有する
ことを特徴とする請求項３に記載の電子機器。
【請求項５】
前記電子ペーパーの所定の領域にタッチパネル手段を設けた
ことを特徴とする請求項１に記載の電子機器。
【請求項６】
前記タッチパネル手段は、前記電子ペーパー表示画像データ生成手段が生成した前記表示画像データの濃度を変更する濃度変更手段である
ことを特徴とする請求項５に記載の電子機器。
【請求項７】
前記電子ペーパー表示画像データ生成手段が生成した前記表示画像データの濃度を変更する濃度変更手段を設けた
ことを特徴とする請求項１に記載の電子機器。
【発明の詳細な説明】
【技術分野】
【０００１】
本発明は、筐体の色や模様等のデザインを変更可能とした電子機器に関する。
【背景技術】
【０００２】
近年、携帯型電子機器としての例えば携帯電話、デジタルカメラやPDA等が世界規模で普及する一方、据え置き型電子機器としての例えば映像プロジェクタ装置やプリンタ装置が一般家庭に設置させるようになってきた。
【０００３】
ところが、このような電子機器の供給メーカは限られており、したがって携帯型電子機器あるいは据え置き型電子機器の筐体のデザインのバリエーションはさほど多くない。
【０００４】
特に携帯型電子機器のユーザ（使用者）の中には、他人と同じ筐体のデザインの携帯型電子機器を携帯するのを嫌い、自分の携帯型電子機器の筐体のデザインを「カスタマイズ」するケースがある。
【０００５】
例えば、携帯型電子機器の筐体のデザイン変更によるカスタマイズとしては、例えば、既存の筐体にシールを貼ったり筐体に色を塗ったりすること、筐体の一部の外装パーツを所望の色や模様のものに取り替えること、筐体そのものを色や模様の異なった別の筐体に取り替えること、などが考えられる。なお、上記外装パーツや上記別の筐体は、携帯電話端末の供給メーカが製造して販売する場合のみならず、それ以外の第三者により作成されて販売されることも多い。また、外装パーツの取り替えによるカスタマイズの場合、携帯型電子機器は、当該外装パーツを着脱可能なものとなされる。
【０００６】
しかし、上記筐体にシールを貼り付けたり色を塗ることによるカスタマイズの場合、それらシールや色が剥がれやすいという欠点がある。また、一度シールを貼ったり色を塗ってしまうと、その後に再度カスタマイズすることが難しくなる。また、特に色を塗り直す際には時間がかかり、ユーザがその日の気分で気軽に好み色に塗り直すようなことは困難である。
【０００７】
上記外装パーツや筐体の取り替えによるカスタマイズの場合、ユーザの好みに合う外装パーツや筐体が必ずあるとは限らない。また、筐体を別のものに取り替える場合、携帯型電子機器を分解する必要があり、ユーザが自ら行うことは技術的に困難である。また特に、筐体を別のものに取り替えるカスタマイズは時間と技術が必要であり、ユーザがその日の気分で気軽に取り替えるようなことは困難である。
【０００８】
そこで、特開２００４−６２０５２号公報および特開２００４−６４６１２号公報等では、筐体のデザイン変更によるカスタマイズを自由に行うことができる装置が提案されている。
【特許文献１】特開２００４−６２０５２号公報
【特許文献２】特開２００４−６４６１２号公報
【特許文献３】特開２００２−１６９１９０号公報
【特許文献４】特開２００２−１６３２５７号公報
【特許文献５】特開２００２−０９９２２１号公報
【特許文献６】特開２００２−０９１７４９号公報
【特許文献７】特開２００２−０２４８６５号公報
【特許文献８】特開２００２−０２４５７０号公報
【特許文献９】特開２００２−０１８３６２号公報
【特許文献１０】特開２００１−３１２２５０号公報
【特許文献１１】特開２００１−３１２２２７号公報
【特許文献１２】特開２００１−３１１９３１号公報
【特許文献１３】特開２００１−２７０１４５号公報
【特許文献１４】特開２００１−２０９７６０号公報
【特許文献１５】特開２００１−１６７２８５号公報
【特許文献１６】特開２００１−１６７１８０号公報
【特許文献１７】特開２００１−０９２３８７号公報
【特許文献１８】特開２０００−１８７２５３号公報
【特許文献１９】特開２０００−１２７４７８号公報
【特許文献２０】特開平１１−３２７４７０号公報
【発明の開示】
【発明が解決しようとする課題】
【０００９】
しかしながら、上記特開２００４−６２０５２号公報および特開２００４−６４６１２号公報の提案は、いずれも予めメモリ等に記憶した色情報あるいはパターン情報に基づき、筐体の色またはパターンを変更するものであり、記憶している色情報あるいはパターン情報には限界があるので、例えば携帯型電子機器のユーザが装着している服装の色やデザインにマッチングした色またはパターンに筐体をカスタマイズすることができないといった問題がある。また、据え置き型電子機器においても、配置される部屋の内装あるいはインテリア等の色調等にマッチングしたデザインに筐体をカスタマイズすることは難しい。
【００１０】
本発明は、上記事情に鑑みてなされたものであり、電子機器の筐体の色や模様等のデザインを、簡単にユーザが使用している服装、部屋の内装あるいインテリア等に最適にマッチングしたデザインに変更することのできる電子機器を提供することを目的とする。
【００１１】
簡単にを提供することを目的としている。
【課題を解決するための手段】
【００１２】
本発明の電子機器は、
少なくとも筐体の一部が電子ペーパーである電子機器において、
画像データを入力する画像データ入力手段と、
前記電子ペーパーを駆動制御する電子ペーパー駆動制御手段と、
前記電子ペーパー駆動制御手段による駆動制御の制御条件を設定する条件設定手段と、
前記条件設定手段により設定された制御条件に基づき前記電子ペーパー駆動制御手段が前記電子ペーパー表示させる表示画像データを前記画像データから生成する電子ペーパー表示画像データ生成手段と
を備えて構成される。
【発明の効果】
【００１３】
本発明によれば、電子機器の筐体の色や模様等のデザインを、簡単にユーザが使用している服装、部屋の内装あるいインテリア等に最適にマッチングしたデザインに変更することができるという効果がある。
【発明を実施するための最良の形態】
【００１４】
以下、図面を参照しながら本発明の実施例について述べる。
【実施例１】
【００１５】
図１ないし図１９は本発明の実施例１に係わり、図１はカメラ付き携帯電話端末の前面の外観を示す図、図２は図１のカメラ付き携帯電話端末の背面の外観を示す図、図３は図１のカメラ付き携帯電話端末の構成を示すブロック図、図４は図３の制御部の処理の流れを示すフローチャート、図５は図４の擬態モード設定処理の流れを示すフローチャート、図６は図４の画像処理の流れを示すフローチャート、図７は図６の対象物の画像データの歪みを補正する処理を説明する図、図８は図４の処理で電子ペーパー部に表示された擬態表示の第１の例を示す図、図９は図４の処理で電子ペーパー部に表示された擬態表示の第２の例を示す図、図１０は図４の処理で電子ペーパー部に表示された擬態表示の第３の例を示す図、図１１は図４の擬態表示変更処理の流れを示すフローチャート、図１２は図１１の擬態表示変更処理で電子ペーパー部に表示されるタッチスイッチを示す図、図１３は図１の電子ペーパー部におけるアクティブマトリックス回路の回路構成を示す図、図１４は図１３のアクティブマトリックス回路の変形例の回路構成を示す図、図１５は図１のカメラ付き携帯電話端末に代わる電子機器であるデジタルカメラの前面の外観を示す図、図１６は図１５のデジタルカメラの背面の外観を示す図、図１７は図１５のデジタルカメラの構成を示すブロック図、図１８は図１のカメラ付き携帯電話端末に代わる電子機器であるプロジェクタ装置の外観を示す図、図１９は図１８のプロジェクタ装置の構成を示すブロック図である。
【００１６】
図１及び図２に示すように、本実施例の電子機器であるカメラ付き携帯電話端末１は、筐体２が電子ペーパー部３に覆われており、筐体２の前面にはマイク４、スピーカ５、キーＳＷ部６及びＬＣＤ７が設けられ、筐体２の背面には画像データ入力手段としての撮像部９が設けられている。
【００１７】
電子ペーパー部３は電力供給時に表示させた画像を電力供給停止後においても保持可能な不揮発性表示媒体であって、電子ペーパー部３自体は公知であるので、説明は省略する（例えば、特開２００２−１６９１９０号公報「電気泳動装置、これを用いた電子ペーパ、電子ペーパを用いた電子ブック装置、及び、その製造方法」、特開２００２−１６３２５７号公報「情報提示方法、情報提示システム及び情報端末」、特開２００２−０９９２２１号公報「表示デバイス、電子ペーパ及び電子ペーパファイル」、特開２００２−０９１７４９号公報「書類参照のためのシステム、方法、プログラム」、特開２００２−０２４８６５号公報「情報更新システム」、特開２００２−０２４５７０号公報「コンテンツ情報出力装置」、特開２００２−０１８３６２号公報「宛先情報表示体」、特開２００１−３１２２５０号公報「電子ペーパおよび電子ペーパファイル  」、特開２００１−３１２２２７号公報「電子ペーパファイル」、特開２００１−３１１９３１号公報「電子ペーパ，電子ペーパファイルおよび電子ペン」、特開２００１−２７０１４５号公報「プリンタ及びそのヘッド」、特開２００１−２０９７６０号公報「再利用可能な電子ペーパ」、特開２００１−１６７２８５号公報「電子紙面作成システム及び電子紙面作成方法」、特開２００１−１６７１８０号公報「電子広告方法及び電子広告システム」、特開２００１−０９２３８７号公報「画像表示方法、画像表示装置、及び画像表示媒体」、特開２０００−１８７２５３号公報「フェロフルーディックエレクトリックペーパ」、特開２０００−１２７４７８号公報「電子ペーパ用プリンタ」、特開平１１−３２７４７０号公報「電子紙ディスプレイ用の多色球体形成方法」、等参照  ）。
【００１８】
なお、例えば、米国のイー・インク社、オランダのロイヤルフィリップスエレクトロニクス社は、電子インクを用いたものとしては世界初の「高解像度アクティブマトリックス駆動カラー電子ペーパー」の開発に成功している。
【００１９】
カメラ付き携帯電話端末１は、図３に示すように、筐体２の内部に、制御部２１、ＲＯＭ２２、ＲＡＭ２３、不揮発性メモリ２４を有している。
【００２０】
制御部２１は、ＲＯＭ２２に格納されている制御プログラムに基づいて、各種制御を実行する。すなわち、制御部２１は、例えば
（１）撮像部９からの撮像信号を信号処理し画像データを生成して不揮発性メモリ２４に格納する画像処理機能
（２）マイク４からの音声信号を入力すると共にスピーカ５に音声信号を出力する音声信号処理部２６を制御する音声制御機能
（３）ＬＣＤ７に撮像した画像データあるいは不揮発性メモリ２４に格納した画像データを表示するＬＣＤ駆動部２９を制御するＬＣＤ制御機能
（４）キーＳＷ部６からの入力をキー入力部２７を介して入力するキー入力機能
（５）アンテナ８を介して音声データ、画像データあるいはメール等の文字データを無線にて送受する無線送受信部２８を制御するデータ送受信制御機能
（６）電子ペーパー部３を駆動する電子ペーパー駆動部２５を制御する電子ペーパー駆動制御手段である電子ペーパー制御機能
（７）電子ペーパー部３の所定の領域、例えば筐体２の前面下部（図１参照）に設けられたタッチセンサ１０からのセンサ出力を入力するタッチセンサ入力機能
（８）電子ペーパー制御機能を実行する際に必要なパラメータを設定する条件設定手段であるパラメータ設定機能
（９）パラメータ設定機能により設定されたパラメータに基づき電子ペーパー制御機能が電子ペーパー部３に表示させる表示画像データを生成する電子ペーパー表示画像データ生成手段である電子ペーパー表示画像データ生成機能
（１０）電子ペーパー制御機能が電子ペーパー部３に表示させた表示画像データを編集する表示編集機能
等の各種機能（１）〜（１０）を有している。
【００２１】
このように構成された本実施例の作用について説明する。本実施例の制御部２１における本実施例の要部の制御機能は上記の機能（６）〜（１０）の電子ペーパー制御機能、タッチセンサ入力機能、パラメータ設定機能、電子ペーパー表示画像データ生成機能及び表示編集機能であって、その他の機能（１）〜（５）は、従来技術と同じであり、公知であるので、主として機能（６）〜（１０）の電子ペーパー制御機能、タッチセンサ入力機能、パラメータ設定機能、電子ペーパー表示画像データ生成機能及び表示編集機能について説明する。
【００２２】
図４に示すように、制御部８は、ステップＳ１にてパラメータ設定機能により後述する擬態モード設定処理を実行し、ステップＳ２にて画像処理機能により撮像部９で対象物を撮影しその画像データを不揮発性メモリ２４に格納する。
【００２３】
そして、ステップＳ３にて電子ペーパー表示画像データ生成機能により、ステップＳ１で設定された設定条件に基づいて、例えば電子ペーパー部３に表示する表示画像データをカメラ付き携帯電話端末１を携帯するユーザの服装の色調等にマッチングさせるための後述する画像処理を実行する。
【００２４】
次に、ステップＳ４にて電子ペーパー制御機能により、電子ペーパー表示画像データ生成機能で生成された表示画像データを電子ペーパー部３に擬態表示する。
【００２５】
そして、ステップＳ５にて表示編集機能により電子ペーパー部３に擬態表示された表示画像データの濃度等を編集する後述する擬態表示変更処理を実行して処理を終了する。
【００２６】
次に、図５を用いて、パラメータ設定機能によるステップＳ１の擬態モード設定処理について説明する。ステップＳ１１にてＬＣＤ７に擬態モード入力画面（図示せず）を表示し、電子ペーパー部３における擬態モードが一色モード、繰り返しパターンモードあるいは実写モードのいずれかを設定するモード設定入力を待つ。
【００２７】
そして、ステップＳ１２にてモード設定入力が一色モードかどうか判断し、モード設定入力が一色モードならば、ステップＳ１３にて擬態モードを一色モードに設定しＲＡＭ２３に格納して処理を終了し、モード設定入力が一色モードでないならばステップＳ１４に進む。
【００２８】
ステップＳ１４では、モード設定入力が繰り返しパターンモードかどうか判断し、モード設定入力が繰り返しパターンモードならば、ステップＳ１５にて擬態モードを繰り返しパターンモードに設定しＲＡＭ２３に格納してステップＳ１７に進み、モード設定入力が繰り返しパターンモードでないならば擬態モードを実写モードに設定しＲＡＭ２３に格納してステップＳ１７に進む。
【００２９】
ステップＳ１７では、繰り返しパターンあるいは実写の最小の表示サイズを例えば３段階（大、中、小）で設定しＲＡＭ２３に格納して処理を終了する。
【００３０】
続いて、図６を用いて、電子ペーパー表示画像データ生成機能によるステップＳ３の画像処理について説明する。ステップＳ３１にて擬態モード設定処理でＲＡＭ２３に格納された擬態モードを読み出し、ステップＳ３２にて擬態モードが一色モードかどうか判断し、擬態モードが一色モードならば、ステップＳ３３にて不揮発性メモリ２４に格納された対象物の画像データを平均化して単一色の画像データを生成し、電子ペーパー表示画像データを生成した単一色画像データとして不揮発性メモリ２４に格納して処理を終了する。
【００３１】
擬態モードが一色モードでない場合は、ステップＳ３４にて擬態モードが実写モードかどうか判断し、擬態モードが実写モードならば処理を終了し、擬態モードが実写モードではなく繰り返しパターンモードと判断すると、ステップＳ３５及びＳ３６の処理を実行し処理を終了する。
【００３２】
ステップＳ３５及びＳ３６の処理では、図７に示すように、対象物の画像データの歪みを補正する処理が実行される。具体的には、まずステップＳ３５にて繰り返しパターンの上下の画像の歪みを補正し、ステップＳ３５にて繰り返しパターンの左右の歪みを補正を補正する。
【００３３】
このようなステップＳ３までの処理がなされると、上記したように、ステップＳ４にて電子ペーパー制御機能により、電子ペーパー表示画像データ生成機能で生成された表示画像データを電子ペーパー部３に擬態表示する。
【００３４】
図８に一色モードにおける平均化処理された単色画像データが電子ペーパー部３に擬態表示された状態を示す。この場合、例えば撮影した対象物がユーザの服装の場合、簡単に同一色調の単色画像データが生成され、カメラ付き携帯電話端末１の表示デザイン色をユーザの服装の色調にあった色に擬態することができる。
【００３５】
図９に繰り返しパターンモードにおける歪み補正後の繰り返しパターンの画像データが電子ペーパー部３に擬態表示された状態を示す。この場合、例えば撮影した対象物がユーザの服装が格子模様であった場合には、簡単に同一色調でかつ同一紋様の繰り返しパターン画像データが生成され、カメラ付き携帯電話端末１の表示デザインをユーザの服装のデザインに擬態することができる。
【００３６】
なお、図１０には実写モードにおける繰り返し実写画像データが電子ペーパー部３に擬態表示された状態を示す。
【００３７】
このように本実施例では、カメラ付き携帯電話端末１の筐体２の色や模様等のデザインを、簡単にユーザが使用している服装等に最適にマッチングしたデザインに変更することができる。
【００３８】
次に、ステップＳ４での電子ペーパー部３での擬態表示後に実行される、表示編集機能によるステップＳ５の擬態表示変更処理を、図１１を用いて説明する。ステップＳ５１にて図１２に示すように、タッチセンサ１０が配置されている領域の電子ペーパー部３にタッチスイッチ１０ａを表示する。このタッチスイッチ１０ａは、電子ペーパー部３に擬態表示された電子ペーパー表示画像データの濃度を調整するための「濃く」スイッチ、「薄く」スイッチ及びＯＫスイッチよりなる。
【００３９】
そこで、ステップＳ５２にてタッチスイッチ１０ａの「濃く」スイッチが操作されたかどうか判断し、タッチスイッチ１０ａの「濃く」スイッチが操作された場合は、ステップＳ５３にて電子ペーパー表示画像データの表示色の濃度を濃くしてステップＳ５６に進み、タッチスイッチ１０ａの「濃く」スイッチが操作されない場合には、ステップＳ５４にてタッチスイッチ１０ａの「薄く」スイッチが操作されたかどうか判断し、タッチスイッチ１０ａの「薄く」スイッチが操作された場合は、ステップＳ５５にて電子ペーパー表示画像データの表示色の濃度を薄くしてステップＳ５６に進み、タッチスイッチ１０ａの「濃く」スイッチが操作されない場合にはそのままステップＳ５６に進む。
【００４０】
ステップＳ５６では、タッチスイッチ１０ａのＯＫスイッチが操作されたかどうか判断し、タッチスイッチ１０ａのＯＫスイッチが操作されない場合には、ステップＳ５２に戻り、タッチスイッチ１０ａのＯＫスイッチが操作された場合には、ステップＳ５７にてタッチスイッチ１０ａの表示を消して処理を終了する。
【００４１】
このように表示編集機能では、電子ペーパー部３にタッチスイッチ１０ａに表示すると共にタッチセンサ１０を用いることで、電子ペーパー部３における表示状態を変更することができるので、筐体２に特別なスイッチを設ける必要がなく、安価に電子ペーパー部３における表示状態を変更することができる。電子機器の筐体の色や模様等のデザインを、よりユーザの所望のデザインに変更することができる。
【００４２】
なお、電子ペーパー部３のアクティブマトリックス回路の例を図１３に示す。図１３は破線１００で囲んだ内部が絵やパターンが表示できる通常のアクティブマトリックス回路であり、その外は一色しか表示できないタイプであるが、一色モードのみを電子ペーパー部３にて実現させる場合のアクティブマトリックス回路は図１４のようになり、RGB１組の信号ラインで構成できるため、安価に構成できる。一色モードのみを電子ペーパー部３にて実現させた場合でも、カメラ付き携帯電話端末１の筐体２の色を、簡単にユーザが使用している服装に最適にマッチングした色に変更することができる。
【００４３】
また、電子機器としてカメラ付き携帯電話端末１を例に説明したが、これに限らず、例えば図１５及び図１６に示すようなデジタルカメラ１ａにも本実施例が適用でき、同様な効果を得ることができる。
【００４４】
すなわち、図１５及び図１６に示すように、電子機器としては、前面に撮像部９、ストロボ発光部３２、ファインダ部３３を備え、背面にキーＳＷ６、ＬＣＤ７を備え、上部にシャッタ３１を有する、電子ペーパー部３により筐体２が覆われたデジタルカメラ１ａとすることが可能である。この場合のデジタルカメラ１ａの筐体２の内部は図１７のように構成される。
【００４５】
また、電子機器の他の例として、例えば図１８に示すようなプロジェクタ装置１ｂにも本実施例が適用でき、同様な効果を得ることができる。
【００４６】
すなわち、図１８に示すように、電子機器としては、前面に投影部４１、画像データ入力手段としての画像データ入力部４２、キーＳＷ６、ＬＣＤ７を有する、電子ペーパー部３により筐体２が覆われた、据え置き型の電子機器であるプロジェクタ装置１ｂとすることが可能である。この場合のプロジェクタ装置１ｂの筐体２の内部は図１９のように構成される。
【００４７】
なお、画像データ入力部４２として、例えば無線インターフェース、ＬＡＮ等のケーブルインターフェース、メモリインターフェース等を用いることができ、画像データ入力部４２から入力した、例えばプロジェクタ装置１ｂが設置される部屋の内装あるいインテリア等の画像データを平均化処理する等、本実施例の擬態表示処理を実行する。
【００４８】
また、本実施例は上記の他の電子機器として例えばＰＤＡ等の携帯情報端末、オーディオ機器（ＣＤプレーヤ、ＭＤプレーヤ、ＤＶＤプレーヤ、スピーカ、等）、電子辞書装置、電子ブック装置、時計（腕時計、壁掛時計、据置時計）、銀塩フィルムカメラ、デジタルムービカメラ、固定電話機（家庭用電話機、オフィス用電話機、公衆電話機）、ウエアラブルコンピュータ、コンピュータ本体（据置型、携帯型を問わない）、据置型コンピュータのＣＲＴディスプレイ装置、有機ＥＬディスプレイ装置、コンピュータの入力装置（マウス、キーボード、スティック、等）、プリンタ、テレビ受像器（据置型、壁掛型を問わない。ＣＲＴディスプレイ、液晶ディスプレイ、プラズマディスプレイ、有機ＥＬディスプレイ、電界放出ディスプレイまたはプラズマディスプレイを備えたものを含む）、ビデオゲーム機本体、ビデオゲーム機のコントローラ、冷蔵庫（冷凍冷蔵庫、冷凍庫を含む。電子冷却、レーザ冷却その他の冷却方式によるものを含む）、洗濯機（単槽型、複槽型を問わない。乾燥機能付きのものを含む）、衣類乾燥機、アイロン、空調機器、扇風機、肛門洗浄機能付き便座、電磁調理器（マイクロウエイブ、オーブンを含む）、リモートコントローラ、車両用ナビゲーション装置、玩具（ロボット、乗り物、積み木ブロック、等）、車両（自家用車、バス、戦車、装甲車、等）、飛行装置（旅客機、戦闘機、ヘリコプタ、等）などにも有効に適用可能である。
【００４９】
本発明は、上述した実施例に限定されるものではなく、本発明の要旨を変えない範囲において、種々の変更、改変等が可能である。
【図面の簡単な説明】
【００５０】
【図１】本発明の実施例１に係るカメラ付き携帯電話端末の前面の外観を示す図
【図２】図１のカメラ付き携帯電話端末の背面の外観を示す図
【図３】図１のカメラ付き携帯電話端末の構成を示すブロック図
【図４】図３の制御部の処理の流れを示すフローチャート
【図５】図４の擬態モード設定処理の流れを示すフローチャート
【図６】図４の画像処理の流れを示すフローチャート
【図７】図６の対象物の画像データの歪みを補正する処理を説明する図
【図８】図４の処理で電子ペーパー部に表示された擬態表示の第１の例を示す図
【図９】図４の処理で電子ペーパー部に表示された擬態表示の第２の例を示す図
【図１０】図４の処理で電子ペーパー部に表示された擬態表示の第３の例を示す図
【図１１】図４の擬態表示変更処理の流れを示すフローチャート
【図１２】図１１の擬態表示変更処理で電子ペーパー部に表示されるタッチスイッチを示す図
【図１３】図１の電子ペーパー部におけるアクティブマトリックス回路の回路構成を示す図
【図１４】図１３のアクティブマトリックス回路の変形例の回路構成を示す図
【図１５】図１のカメラ付き携帯電話端末に代わる電子機器であるデジタルカメラの前面の外観を示す図
【図１６】図１５のデジタルカメラの背面の外観を示す図
【図１７】図１５のデジタルカメラの構成を示すブロック図
【図１８】図１のカメラ付き携帯電話端末に代わる電子機器であるプロジェクタ装置の外観を示す図
【図１９】図１８のプロジェクタ装置の構成を示すブロック図
【符号の説明】
【００５１】
１…カメラ付き携帯電話端末
２…筐体
３…電子ペーパー部
４…マイク
５…スピーカ
６…キーＳＷ部
７…ＬＣＤ
８…アンテナ
９…撮像部
１０…タッチセンサ
２１…制御部
２２…ＲＯＭ
２３…ＲＡＭ
２４…不揮発性メモリ
２５…電子ペーパー駆動部
２６…音声信号処理部
２７…キー入力部
２８…無線送受信部
２９…ＬＣＤ駆動部
代理人    弁理士    伊藤  進
【図１】
2006173484.tif 000003
【図２】
2006173484.tif 000004
【図３】
2006173484.tif 000005
【図４】
2006173484.tif 000006
【図５】
2006173484.tif 000007
【図６】
2006173484.tif 000008
【図７】
2006173484.tif 000009
【図８】
2006173484.tif 000010
【図９】
2006173484.tif 000011
【図１０】
2006173484.tif 000012
【図１１】
2006173484.tif 000013
【図１２】
2006173484.tif 000014
【図１３】
2006173484.tif 000015
【図１４】
2006173484.tif 000016
【図１５】
2006173484.tif 000017
【図１６】
2006173484.tif 000018
【図１７】
2006173484.tif 000019
【図１８】
2006173484.tif 000020
【図１９】
2006173484.tif 000021